(57)【要約】【課題】簡単な構造の装置によって、水路の水位を調整することができる調整装置を提供する。【解決手段】上下の平行な梁材１１を備えた枠体１と、断面が三角形の三角柱２とで構成する。枠体１の上下の梁材１１の間に、複数本の三角柱２を、鉛直方向に平行に、かつ各三角柱２の外接円が重ならない状態で設置する。さらにこの三角柱２に、鉛直軸を中心とした回転を与える回転付与装置３によって構成する。【選択図】図１
2010209522.tif 000002
【特許請求の範囲】
【請求項１】
上下の平行な梁材を備えた枠体と、
断面が三角形の三角柱とで構成し、
枠体の上下の梁材の間に、複数本の三角柱を、鉛直方向に平行に、かつ各三角柱の外接円が重ならない状態で設置し、
さらにこの三角柱に、鉛直軸を中心とした回転を与える回転付与装置によって構成した、
水路の水位調整装置。
【請求項２】
鉛直方向に設置する三角柱の水平断面が、
二等辺三角形である、
請求項１記載の水路の水位調整装置
【発明の詳細な説明】
【技術分野】
【０００１】
本発明は、水路の水位調整装置に関するものである。
【背景技術】
【０００２】
一般の開放された水路にあっては、集まっただけの量の水を流下させればその目的を達成できる。
しかしたとえば放水槽に接続する放水路のように、水槽内の水位を適度に維持して、放水槽側の水位を常に一定範囲に維持することが要求される場合がある。
あるいは水路の表面の経年変化によって水槽内の水位が設計時の値と異なってしまった場合に、設計時の水位を維持することが要求される場合がある。
そのような場合に特許文献１記載のような装置が開発されている。
あるいは特許文献２のような、塵芥を捕捉するバーの間隔が調整に構成したスクリーンも開発されている。
【先行技術文献】
【特許文献】
【０００３】
【特許文献１】実開昭５５−１７８９１号公報。
【特許文献２】特開２００２−２７５８６０号公報。
【発明の概要】
【発明が解決しようとする課題】
【０００４】
前記した従来の水路の水位調整装置にあっては、次のような問題点がある。
＜１＞特許文献１記載の流量調整装置は、２枚の穴あき板を重ねて、相互に回転させることによって穴の面積を変えて通過できる水量を調整する装置であるが、最大流量は２つの穴が重なった状態が限度である。そのために流量の変化が大きい場所への採用は困難である。
＜２＞特許文献２記載の装置は、流木などの塵芥を捕捉するためのスクリーンであって、水位の調整を目的としたものではないから、水槽からの放水路にそのまま適用することはできない。
【課題を解決するための手段】
【０００５】
上記のような従来の装置の課題を解決した本発明の水路の水位調整装置は、上下の平行な梁材を備えた枠体と、断面が三角形の三角柱とで構成し、枠体の上下の梁材の間に、複数本の三角柱を、鉛直方向に平行に、かつ各三角柱の外接円が重ならない状態で設置し、さらにこの三角柱に、鉛直軸を中心とした回転を与える回転付与装置によって構成したことを特徴としたものである。
【発明の効果】
【０００６】
本発明の水路の水位調整装置は以上説明したようになるから次のような効果を得ることができる。
＜１＞簡単な構造の装置によって、多彩なパターンを選択できるから、水位の変化が大きい放水路などでも採用することができる。
＜２＞三角柱を回転させるだけの装置であるから、構造はきわめて簡単であって、保守や維持の費用がかからず経済的である。
【図面の簡単な説明】
【０００７】
【図１】本発明の水路の水位調整装置の実施例の説明図。
【図２】水位調整装置を水路に設置した状態の説明図。
【図３】回転付与装置の実施例の側面図。
【図４】三角柱の稜線を上流に向けて設置した状態の説明図。
【図５】三角柱の稜線を下流に向けて設置した状態の説明図。
【図６】三角柱の１面を上流に向けて設置した状態の説明図。
【図７】三角柱の稜線を中間角度で設置した状態の説明図。
【発明を実施するための形態】
【０００８】
以下図面を参照しながら本発明の水路の水位調整装置の実施例を説明する。
【実施例】
【０００９】
＜１＞全体の構成。
本発明の水路の水位調整装置は、周囲を包囲する枠体１と、枠体１の内部に、鉛直方向に平行に設置した三角柱２とによって構成する。
枠体１は、上下の平行な梁材１１と、梁材１１の間を鉛直に連結する縁材１２によって矩形の枠として構成する。
この枠体１を、水路を横断する方向、すなわち水流を遮断する方向に向けて設置して、水流に抵抗を与えて、水位の調整を行うものである。
【００１０】
＜２＞三角柱。
三角柱２は、断面を三角形に形成した柱体である。
この三角柱２の上下端を、枠体１の上下の平行な梁材１１に鉛直に設置する。
複数本の三角柱２は、適宜の間隔を介して平行に並べた状態で枠の内部空間に設置する。
その際に、三角柱２は、鉛直軸を中心とした回転が自在であるように梁材１１に取り付ける。
この三角柱２の水平断面形状は、正三角形でもよいが、１角を鋭角とした二等辺三角形として形成しておくと、後述するように広い範囲で水位の調整を行うことができる。
複数の三角柱２群は後述する回転付与装置３によって、鉛直軸を中心に回転するので、三角柱２の外接円は、重なることがないように配置する。
さらにその外接円は相互に接することがなく、三角柱２がどのような角度にあっても、ひとつの三角柱２と、隣接する三角柱２との間には常に隙間が生じているように配置する。
【００１１】
＜３＞回転付与装置。（図３）
三角柱２に回転を与えるために、回転付与装置３を設ける。
これは、たとえば三角柱２の梁材１１への取付軸２２を角柱として、円盤を貫通させて上方向に突出させておく。
そして取付軸２２に水平に張り出したリンク材２３を取り付け、このリンク材２３に水平方向から引張材によって引張力を与えれば、三角柱２は円盤とともに鉛直軸を中心とした回転を行う。
【００１２】
＜４＞水位の調整方法。
本発明の装置の枠体１を水路の壁４のガイドレール４１内に落とし込み、図２に示すように、水の流下を遮断する方向に向けて設置する。
そして、平行に設置した三角柱２群に回転付与装置３から回転を与えて一斉に回転させてその向きを変えることによって各種のパターンを設定することができる。
まず第一のパターンとして、三角柱２の１本の鉛直稜線２１を、上流に向けた位置に設置する。（図４）
すると、流水は鉛直稜線２１においてスムーズに左右に分かれて、三角柱２の間を流れて、流下してゆく。
あるいは、第二のパターンとして、三角柱２の１本の鉛直稜線２１を、下流に向けた位置に設置する。（図５）
すると流水は三角柱２の一面に当たってスムーズな流れが阻止され、ひとつの三角柱２と隣接する三角柱２との間で流水に乱れが生じて流水抵抗が大きくなる。
あるいは第三のパターンとして、三角柱２が、その１角が鋭角である二等辺三角形の場合に、その三角柱２の長い側の面を上流に向けた状態で設置することもできる。（図６）
すると、ひとつの三角柱２と隣接する三角柱２の隙間が一番狭くなり、流水には一番大きな抵抗を与えることになる。
あるいは、三角柱２の平面位置を、上記のパターンの中間の角度に設定して三角柱２間の間隔を適宜、調整することもできる。（図７）
こうして単純な三角柱２の角度を変えるだけで、広い範囲で流水抵抗を与え水位調整を行うことができる。
【符号の説明】
【００１３】
１：枠体
１１：梁材
２：三角柱
２１：稜線
３：回転付与装置
【図１】
2010209522.tif 000003
【図２】
2010209522.tif 000004
【図３】
2010209522.tif 000005
【図４】
2010209522.tif 000006
【図５】
2010209522.tif 000007
【図６】
2010209522.tif 000008
【図７】
2010209522.tif 000009